(57)【特許請求の範囲】
【請求項１】
透光性パネルの裏面側に複数の太陽電池素子を配設して裏面保護材で被覆するとともに、前記太陽電池素子の出力を取り出すためのリード線を前記裏面保護材に設けたスリットを介して前記裏面保護材の裏側に取り出し、このリード線を前記裏面保護材上に形成された端子ボックス内の端子に接続した太陽電池モジュールにおいて、前記スリットを覆うように前記スリット上に前記端子ボックスの底面材を配置させるとともに前記底面材の前記スリットと重ならない場所に設けた透孔部から前記リード線を前記端子ボックス内に取り入れたことを特徴とする太陽電池モジュール。
【請求項２】
前記端子ボックスの底面材を前記スリット上に位置させて前記端子ボックスと前記裏面保護材を接着材で接着したことを特徴とする請求項１に記載の太陽電池モジュール。
【発明の詳細な説明】
【０００１】
【発明の属する技術分野】
本発明は太陽電池モジュールに関し、特に裏面側に太陽電池素子の出力を取り出すための端子ボックスを設けた太陽電池モジュールに関する。
【０００２】
【従来の技術】
従来の太陽電池モジュールを図２および図３に示す。図２および図３において、１は太陽電池モジュール本体、２はフレームである。太陽電池モジュール本体１は、所定位置に配置されて相互に接続された複数の太陽電池素子３を、充填材としてのエチレンビニルアセテート（ＥＶＡ）樹脂４によって固定し、その表面側をガラス板などから成る透光性パネル５で覆うとともに、裏面側に耐候性のある裏面保護材６を設けて構成されている。
【０００３】
太陽電池モジュール本体１の周縁部にはフレーム２が取り付けられている。このフレーム２は太陽電池モジュール本体１を補強して架台等（不図示）に取り付けられるようにするものであり、太陽電池モジュール本体１の各辺のフレーム２を互いに結合して構成されている。このフレーム２は例えばアルミニウムの押出成型品などからなる。
【０００４】
この太陽電池モジュール１の裏面側には、図４および図５に示すように、端子ボックス７が取り付けられている。この端子ボックス７は、上面が開口するとともに、底面部材１２にリード線８を取り込むための透孔１３が形成されている。この端子ボックス７の中には、太陽電池素子３の出力を取り出すためのリード線８と外部出力ケーブル９とを接続する端子１０がある。
【０００５】
太陽電池素子３に接続されたリード線８は、裏面保護材６に設けたスリット１１を介して太陽電池モジュール１の裏面側に引き出され、このリード線８を端子ボックス７内の端子１０に接続することによって、太陽電池素子３の出力を外部に取り出す。また、この接続端子１０は外部出力ケーブル９に接続されているので、これにより、太陽電池素子３の出力を外部に取り出すことができる。
【０００６】
この端子ボックス７は、底面部材１２の透孔１３が裏面保護材６のスリット１１上に位置するように位置合わせして、裏面保護材６上に接着されて固定されていた。
【０００７】
【発明が解決しようとする課題】
ところが、この従来の太陽電池モジュールでは、太陽電池素子３に接続されたリード線８を引き出すためのスリット１１上に端子ボックス７の透孔１３が位置するように端子ボックス７を取り付けていることから、端子ボックス７に水が浸入すると、スリット１１をとおって太陽電池モジュール本体１の太陽電池素子３側に回り込み、太陽電池素子３に水が付着して太陽電池素子が劣化するという問題があった。
【０００８】
このようなスリット１１からの水の浸入を防ぐために、従来は端子ボックス７に硬化剤と主剤２とで構成される２液性の封止剤を流し込んで防水しなければならなかった。この２液性の封止剤は産業廃棄物処理が必要となり、地球環境問題においては望ましくないものである。
【０００９】
本発明は上記従来技術の問題を解決するためになされたものであり、産業廃棄物処理の必要な２液性の封止剤を使用することなく、信頼性に優れた太陽電池モジュールを提供することを目的とする。
【００１０】
【課題を解決するための手段】
上記目的を達成するために、本発明では、透光性パネルの裏面側に複数の太陽電池素子を配設して裏面保護材で被覆するとともに、前記太陽電池素子の出力を取り出すためのリード線を前記裏面保護材に設けたスリットを介して前記裏面保護材の裏側に取り出し、このリード線を前記裏面保護材上に形成された端子ボックス内の端子に接続した太陽電池モジュールにおいて、前記スリットを覆うように前記スリット上に前記端子ボックスの底面材を配置させるとともに前記底面材の前記スリットと重ならない場所に設けた透孔部から前記リード線を前記端子ボックス内に取り入れたことを特徴とする。
【００１１】
また、上記太陽電池モジュールでは、前記端子ボックスの底面材を前記スリット上に位置させて前記端子ボックスと前記裏面保護材を接着材で接着してもよい。
【００１２】
【発明の実施の形態】
以下、本発明の実施形態を添付図面に基づき詳細に説明する。
本発明の太陽電池モジュールの基本的な構成は、図２、図３、図４に示す従来の太陽電池モジュールの構成と同じである。すなわち、所定位置に配置された複数の太陽電池素子３を相互に接続して充填材としてのエチレンビニルアセテート（ＥＶＡ）樹脂４によって固定し、その表面側をガラス板などから成る透光性パネル５で覆うとともに、裏面側に耐候性のある裏面保護材６を設けて構成される。また、太陽電池モジュール本体１の周縁部にはアルミ材などからなるフレーム２が取り付けられ、太陽電池モジュール１の裏面側には太陽電池素子３の出力を取り出すための端子ボックス７が設けられている。
【００１３】
図１は本発明に係る太陽電池モジュールの要部を示す図であり、６は裏面保護材、７は端子ボックス、８は太陽電池素子３の出力を取り出すためのリード線、９は外部出力ケーブル、１０は端子、１１は裏面保護材６に設けたスリット、１２は端子ボックスの底面部材、１３は端子ボックス７の底面部材に隣接して設けられた透孔である。
【００１４】
端子ボックス７は樹脂などで構成され、上面が開口するとともに底面部材１２にリード線８を取り込むための透孔１３が形成されている。この端子ボックス７内には、太陽電池素子３の出力を取り出すためのリード線８と外部出力ケーブル９との端子１０がある。この端子ボックス７には従来のように樹脂をポッティグする必要はないが、上面の開口部は蓋部材で覆蓋される。
【００１５】
太陽電池素子３に接続されたリード線８は、裏面保護材６に設けたスリット１１を介して太陽電池モジュール１の裏面側に取り出され、このリード線８を端子ボックス７内の接続端子１０に接続することによって、太陽電池素子３の出力を外部に取り出す。また、この接続端子１０は外部出力ケーブル９に接続されているので、これにより、太陽電池素子３の出力を外部に取り出すことができる。
【００１６】
この端子ボックス７は、底面部材１２そのものが裏面保護材６のスリット１１上に位置するように位置合わせして裏面保護材６上に接着されて固定されている。
【００１７】
スリット１１から太陽電池素子３の出力を取り出すためのリード線８を太陽電池モジュール本体１の裏面側に引き出して端子ボックス７の底面部材１２と裏面保護材６の間を経由して端子ボックス７の透孔１３から端子ボックス７内に取り込む。したがって、スリット１１は端子ボックス７の底面部材１２の下に位置することになり、底面部材１２で被覆される。そして、例えば半田付けなどにより接続端子１０に接続する。この接続端子１０は外部出力ケーブル９に接続されているので、これにより太陽電池素子３の出力を外部に取り出すことができる。また、端子ボックス７の底面部材１２でスリット１１を覆うように、端子ボックス７を裏面保護材６上にシリコン樹脂等をもちいて接着する。
【００１８】
なお、本発明は上記実施形態に限定されるものではなく、本発明の範囲内で上記実施形態に多くの修正および変更を加えることができる。例えば端子ボックス７の取り付け位置は太陽電池モジュール本体１の縁部に限定されるものではない。また、接続端子１０を介さず、たとえばリード線８と外部出力ケーブル９を直接接続してもよい。また、太陽電池素子３は結晶系シリコン太陽電池に限定されるものではなく、たとえば薄膜系などの太陽電池素子であってもよい。
【００１９】
【発明の効果】
以上のように、本発明による太陽電池モジュールによれば、端子ボックスの底面材をスリット上に位置させて、この底面材に隣接して設けた透孔部からリード線を端子ボックス内に取り込むことから、端子ボックスの底面部材がスリットを覆うこととなり、このスリット部から水分などが侵入することを極力防止できる。したがって、スリットを封止するために用いていた２液性の封止剤を使用する必要がなくなる。
【００２０】
また、リード線を引き出すためのスリット上に端子ボックスの底面部材を位置させて端子ボックスと裏面保護材を接着材で接着することにより、封止効果がさらに高まり太陽電池モジュールの信頼性が向上する。
【図面の簡単な説明】
【図１】本発明に係る太陽電池モジュールの端子ボックス部を示す図である。
【図２】従来の太陽電池モジュールを示す図である。
【図３】図２のＤ−Ｄ線断面図である
【図４】従来の太陽電池モジュールの裏面側を示す図である。
【図５】従来の太陽電池モジュールの端子ボックス部を示す図である。
【符号の説明】
１・・・太陽電池モジュール本体、２・・・フレーム、６・・・裏面保護材、７・・・端子ボックス、１１・・・スリット、１２・・・底面部材、１３・・・透孔
【図１】
0004132022.tif 000002
【図２】
0004132022.tif 000003
【図３】
0004132022.tif 000004
【図４】
0004132022.tif 000005
【図５】
0004132022.tif 000006